(57)【要約】【課題】面状発熱体の熱を効率よく輻射体に伝えるとともに、その輻射体の均一加熱により快適な輻射暖房を行うことを目的とする。【解決手段】輻射体６の背面に波板３を配置するとともに、これら輻射体６と波板３との間に面状発熱体５を介在させて、前記波板３の波形状によって面状発熱体５を輻射体６に押付けるように構成し、前記波板３は機体ケース１に取着した補強板２でその背部を保持したものである。したがって、面状発熱体５は波板３によって輻射体６に全面が確実に押付けられて密着することとなり、輻射体６を有効に加熱して効果的に輻射熱を放散できる。【選択図】図２
2007032956.tif 000002
【特許請求の範囲】
【請求項１】
輻射体の背面に波板を配置するとともに、これら輻射体と波板との間に面状発熱体を介在させて、前記波板の波形状によって面状発熱体を輻射体に押付けるように構成し、前記波板は機体ケースに取着した補強板でその背部を保持した輻射暖房機。
【請求項２】
波板の中央部を補強板に固定した請求項１記載の輻射暖房機。
【請求項３】
波板の波形状は中央部ほど高く設定した請求項１記載の輻射暖房機。
【請求項４】
波板を複数列設け、それら波板の波形状は中央の波板ほど高くなるように設定した請求項３記載の輻射暖房機。
【請求項５】
バネ性のある金属材料で波板を形成した請求項１〜４いずれか１項記載の輻射暖房機。
【請求項６】
面状発熱材を均熱体と固定板とで一体的に挟み込んで面状発熱体を構成した請求項１記載の輻射暖房機。
【発明の詳細な説明】
【技術分野】
【０００１】
本発明は輻射熱で暖房を行うようにした輻射暖房機に関するものである。
【背景技術】
【０００２】
従来、この種、輻射暖房機は、例えばセラミック板の背部に電熱膜を設け、この電熱膜に通電して発熱させることでセラミック板を加熱し、遠赤外線を発生させるものがある（例えば、特許文献１参照）。
【０００３】
また、他の構成として、ガラス板全面に電熱線を貼付け、このガラス板を電熱線で加熱することで、遠赤外線を発生させるのも見受けられる。
【特許文献１】実用新案登録第３０７８４８８号公報
【発明の開示】
【発明が解決しようとする課題】
【０００４】
しかしながら、前者の輻射熱発生構成では、セラミック板上に導電電熱膜を均一に塗布しなければならず、製造コストがどうしても高くなる課題があった。
【０００５】
また、後者の輻射熱発生構成では、ガラス板全面に電熱線を貼り付けて均一に加熱することが困難で、やはり製造上多くの工数が必要で、コスト面の課題が存在し、しかも、資材、期間が必要となる。
【０００６】
例えば、セラミック板、或いはガラス板のような輻射体に電熱膜の塗布あるいは電熱線の貼付けをせずに、輻射体と電熱線を別々に構成し、これらを重ねて接触による熱伝達で輻射体を加熱することも考えられるが、別々の部品である輻射体と電熱線を全面で確実に接触させることが困難で、部品寸法や組立のバラつき、部品の熱膨張収縮、搬送中の衝撃による僅かな部品変形を生起した場合は、本来の機能が損なわれるものである。
【０００７】
本発明は前記従来の課題を解決するもので、製造が容易で、しかも輻射発生が効果的に行われる輻射暖房機を提供することを目的としている。
【課題を解決するための手段】
【０００８】
前記従来の課題を解決するために、輻射体の背面に波板を配置するとともに、これら輻射体と波板との間に面状発熱体を介在させて、前記波板の波形状によって面状発熱体を輻射体に押付けるように構成し、前記波板は機体ケースに取着した補強板でその背部を保持したものである。
【発明の効果】
【０００９】
本発明の輻射暖房機は、キャビネットに固定した補強板前面に備えた波板で面状発熱体を輻射体に押付けるよう構成することで、一般的な面状発熱体、例えばマイカヒ−タ−などを使用することが可能となり、均等な輻射熱放散ができるもので、快適暖房が可能である。
【００１０】
また、面状発熱体を輻射体に押付けるだけでよいので、製造が簡単となり、その分、品質、コスト面などで有利となる。
【発明を実施するための最良の形態】
【００１１】
第１の発明は、輻射体の背面に波板を配置するとともに、これら輻射体と波板との間に
面状発熱体を介在させて、前記波板の波形状によって面状発熱体を輻射体に押付けるように構成し、前記波板は機体ケースに取着した補強板でその背部を保持したものである。
【００１２】
したがって、一般的な面状発熱体、例えばマイカヒ−タ−などの使用も可能であるため、低コストでつくることができ、しかも、寸法や組立のバラつき、部品の熱膨張収縮、搬送中の衝撃による変形などが生じても確実に面状発熱体を輻射体に押付けることができ、均一な輻射暖房を実現できるものである。
【００１３】
第２の発明は、特に、第１の発明の波板をその中央部で補強板に固定したものである。これにより、波板の熱膨張、或いは収縮が自由となり、確実に面状発熱体を輻射体に押付けることができる。
【００１４】
第３の発明は、特に、第１，２の発明の波板において、その波形状は中央部ほど高く設定した。そのため、機体への取付によって輻射体が湾曲しても、中央部付近で面状発熱体との間に隙間が生じるようなことがなく、均一な輻射が実現できる。
【００１５】
第４の発明は、特に、第３の発明の波板において、波板を複数列設け、それら波板の波形状は中央の波板ほど高くなるように設定した。
【００１６】
第５の発明は、特に、第１〜４のいずれかの一つの波板において、バネ性のある金属材料で波板を形成した。
【００１７】
第６の発明は、特に、第３の発明の面状発熱材を、均熱体と固定板とで一体的に挟み込んで構成した。
【００１８】
以下、本発明の実施の形態について、図面を参照しながら説明する。なお、この実施の形態によって本発明が限定されるものではない。
【００１９】
（実施の形態１）
図１、図２、図３において、１は外郭を形成する機体ケース、２はその前面に２列固定した補強板、３はバネ性のある金属で加工された２枚の波板で、補強板２の前面にそれらの中央部のみがビス４で固定されている。
【００２０】
すなわち、波板３は各両端が自由端に設定してあり、したがって、熱膨張、収縮が発生しても問題を生じないようにしている。
【００２１】
５は面状発熱体で、マイカヒ−タ−のような面状発熱材体５ａを均熱体５ｂと固定板５ｃで挟持し、リベット５ｄで一体的にカシメてある。ここで均熱体５ｂの材質は、アルミニウムなど熱伝導に優れたものを使用してある。
【００２２】
この面状発熱体５は、輻射体６と波板３の間に配置してあり、この波板３の弾性力で輻射体６に圧接するようにしてある。
【００２３】
７は機体ケース１の底面に固定された脚部で、その下面にはキャスタ−８が備えてあり、自在に移動可能な構成としてある。
【００２４】
以上のように構成された輻射暖房機について、以下その動作、作用を説明する。
【００２５】
今、面状発熱材５ａに通電して発熱させると、その熱は伝達される。均熱体５ｂはアルミニウムなど熱伝導に優れた材料で構成されているところから、全面が均一に加熱され、
それに応じて輻射体６も均一に温度上昇してその全面より輻射熱（遠赤外線）を放射することとなる。
【００２６】
そして、面状発熱体５が輻射体６と波板３の間に位置していて、波板３の弾性力で輻射体６に圧接してあるため、均熱体５ｂの熱が確実に輻射体６に伝えられ、輻射効率を高めている。
【００２７】
しかも、面状発熱体５が熱膨張しても、波板３は各両端が自由端に設定してあり、したがって、熱膨張、収縮が発生しても全面にわたって波形状が追従して押圧しつけ、輻射体６に面状発熱体５を確実に圧接させる。
【００２８】
（実施の形態２）
図４、図５において、実施の形態１と異なる部分のみ説明すると、１ａは輻射体６の上端を機体ケース１に固定する上押え具、１ｂは輻射体６の下端を機体ケース１に固定する下押え具である。９は機体ケース１に固定した補強板、１０は補強板９に固定したバネ性のある金属で加工された１枚の波板である。
【００２９】
波板１０は図の上下端よりも中央部の波形状の高さを高くしてある。波板１０と輻射体６の間には面状発熱体５が配置してある。
【００３０】
今、輻射体６を機体ケース１に固定する際、最も簡単な手段の１つとして、図４に示すように、その上端を機体ケース１に固定する上押え具１ａに挿入し、次いで、輻射体６の下端に当てた下押え具１ｂを機体ケース１の底面にビス（図示せず）で締め込んで挟み固定するのが挙げられるが、その場合、確実な固定をするための締め代があり、その分、輻射体６が前方に湾曲する。
【００３１】
しかしながら、本実施の形態の構成では、波板１０は図の上下端よりも中央部の波形状の高さを高くしてあるので、その波形状が輻射体６の湾曲に追従でき、確実に面状発熱体５を輻射体６に押付けることができる。
【００３２】
（実施の形態３）
図６において、実施の形態１および２と異なる部分のみ説明すると、１１ａ，１１ｂ，１１ｃは機体ケース１に上下３段にわたり固定した補強板、１２ａ，１２ｂ，１２ｃはバネ性のある金属で加工された波板で、それぞれの補強板１１ａ，１１ｂ，１１ｃの前にビス４ａ，４ｂ，４ｃで中央部のみ固定され，両端は自由にしてある。
【００３３】
そして、中央部に配置した波板１２ｂは他の波板１２ａ、１２ｃよりも波形状の高さを高くしてある。もちろん、波板１２，１２ｂ，１２ｃと輻射体６の間には面状発熱体５が配置してある。
【００３４】
以上の構成において、面状発熱体５は３枚の波板１２ａ，１２ｂ，１２ｃで輻射体６に押付けてあるため、均熱体５ｂの熱が確実に輻射体６に伝わる。
【００３５】
ところが、実施の形態２で述べたように、輻射体６を機体ケース１に固定する際、最も簡単な手段として、図４に示すようにその上端を機体ケース１に固定する上押え具１ａに挿入し、輻射体６の下端に当てた下押え具１ｂを機体ケース１の底面にビス（図示せず）で締め込んではさみ固定するのであるが、その場合、図４に示すように確実な固定をするための締め代があり、その分、輻射体６が前方に湾曲する。
【００３６】
しかしながら、本実施の形態の構成では、中央に配置した波板１２ｂは他の波板１２ａ
，１２ｃよりも波形状の高さを高くしてあるので、波板１２ａ，１２ｂ，１２ｃの波形状それぞれが輻射体６の湾曲に追従でき、確実に面状発熱体５を輻射体６に押し付けることができる。
【００３７】
なお、本実施の形態では波板と補強板を３組配置したものを説明したが、この波板と補強板は複数であれば何個あっても良く、本実施の形態に限定されるものではない。
【産業上の利用可能性】
【００３８】
以上のように、本発明にかかる輻射暖房機は、機体ケースに固定した補強板の前面に備えた波板で面状発熱体を輻射体に押し付けるよう構成することで、特殊な発熱体を開発することなく一般的な面状発熱体、例えばマイカヒ−タ−などの発熱体を使用可能で、暖房機以外にも広く活用できるものである。
【図面の簡単な説明】
【００３９】
【図１】本発明の実施の形態１における輻射暖房機の外観斜視図
【図２】同分解斜視図
【図３】同面状発熱体の分解斜視図
【図４】本発明の実施の形態２における輻射暖房機の外観斜視図
【図５】本発明の実施の形態２における輻射暖房機の分解斜視図
【図６】本発明の実施の形態３における輻射暖房機の分解斜視図
【符号の説明】
【００４０】
１  機体ケース
２，９，１１  補強板
３，１０，１２ａ，１２ｂ，１２ｃ  波板
５  面状発熱体
５ａ  面状発熱材
５ｂ  均熱体
５ｃ  固定板
６  輻射体
【図１】
2007032956.tif 000003
【図２】
2007032956.tif 000004
【図３】
2007032956.tif 000005
【図４】
2007032956.tif 000006
【図５】
2007032956.tif 000007
【図６】
2007032956.tif 000008